(57)【特許請求の範囲】
【請求項１】
筐体と、
帯状の帯封媒体を供給する供給部と、
前記筐体から引き出し可能となっており、少なくとも前記供給部が設けられた引出部と、
前記供給部により供給される帯封媒体に印字および／または押印を行う帯封媒体加工部と、
前記供給部により供給され、前記帯封媒体加工部により印字および／または押印が行われた帯封媒体を紙幣束に巻くことにより帯封紙幣を形成する帯封部と、
帯封処理に関するエラーを検知するエラー検知部と、
前記供給部により供給される帯封媒体の通過を検知するための通過検知部と、
操作者に報知を行う報知部と、
前記エラー検知部によりエラーが検知されたときに、前記供給部に帯封媒体を巻き戻すよう当該供給部を制御する制御部と、
を備え、
前記エラー検知部によりエラーが検知されたときに前記供給部に帯封媒体が巻き戻されると前記通過検知部により帯封媒体が検知されなくなるようになっており、
前記制御部は、前記エラー検知部によりエラーが検知されたときに、帯封媒体における印字および／または押印が行われた箇所を含む部分を除去する旨のガイダンスを操作者に報知するよう前記報知部を制御するようになっており、前記ガイダンスが前記報知部により操作者に報知された後、前記通過検知部により帯封媒体の通過が検知されると、帯封媒体が前記供給部から巻き出されて当該帯封媒体における印字および／または押印が行われた箇所を含む部分が除去されたと判断するようになっており、
前記ガイダンスが前記報知部により操作者に報知された後、帯封媒体が前記供給部から巻き出されて当該帯封媒体における印字および／または押印が行われた箇所を含む部分が除去されたと前記制御部により判断されるまでは前記筐体から引き出された前記引出部を当該筐体内に戻すことができないようになっている、帯封装置。
【請求項２】
帯状の帯封媒体を供給する供給部と、
前記供給部により供給される帯封媒体に印字および／または押印を行う帯封媒体加工部と、
前記供給部により供給され、前記帯封媒体加工部により印字および／または押印が行われた帯封媒体を紙幣束に巻くことにより帯封紙幣を形成する帯封部と、
帯封処理に関するエラーを検知するエラー検知部と、
前記供給部により供給される帯封媒体の通過を検知するための通過検知部と、
操作者に報知を行う報知部と、
前記エラー検知部によりエラーが検知されたときに、前記供給部に帯封媒体を巻き戻すよう当該供給部を制御する制御部と、
を備え、
前記エラー検知部によりエラーが検知されたときに前記供給部に帯封媒体が巻き戻されると前記通過検知部により帯封媒体が検知されなくなるようになっており、
前記制御部は、前記エラー検知部によりエラーが検知されたときに、帯封媒体における印字および／または押印が行われた箇所を含む部分を除去する旨のガイダンスを操作者に報知するよう前記報知部を制御するようになっており、前記ガイダンスが前記報知部により操作者に報知された後、前記通過検知部により帯封媒体の通過が検知されると、帯封媒体が前記供給部から巻き出されて当該帯封媒体における印字および／または押印が行われた箇所を含む部分が除去されたと判断するようになっており、
前記ガイダンスが前記報知部により操作者に報知された後、帯封媒体が前記供給部から巻き出されて当該帯封媒体における印字および／または押印が行われた箇所を含む部分が除去されたと前記制御部により判断されるまでは少なくとも帯封処理に関する動作を行うことができなくなる、帯封装置。
【請求項３】
前記制御部は、前記帯封媒体加工部により帯封媒体に印字および／または押印を行った後、前記帯封部において帯封紙幣が形成されるまでの間に前記エラー検知部によりエラーが検知されたときにおいてのみ、前記ガイダンスを操作者に報知するよう前記報知部を制御する、請求項１または２記載の帯封装置。
【請求項４】
前記帯封部は、前記供給部により供給され、前記紙幣束に巻かれた帯封媒体を切断するための切断部材を有しており、
前記制御部は、前記帯封媒体加工部により帯封媒体に印字および／または押印を行った後、前記帯封部の前記切断部材により帯封媒体が切断されるまでの間に前記エラー検知部によりエラーが検知されたときにおいてのみ、前記ガイダンスを操作者に報知するよう前記報知部を制御する、請求項１乃至３のいずれか一項に記載の帯封装置。
【請求項５】
筐体と、前記筐体から引き出し可能となっており、少なくとも供給部が設けられた引出部とを備えた帯封装置により行われる帯封方法であって、
帯状の帯封媒体を前記供給部により供給する工程と、
前記供給部により供給される帯封媒体に印字および／または押印を行う工程と、
前記供給部により供給される帯封媒体の通過を通過検知部により検知する工程と、
前記供給部により供給され、印字および／または押印が行われた帯封媒体を紙幣束に巻くことにより帯封紙幣を形成する工程と、
帯封処理に関するエラーが検知されたときに、前記供給部に帯封媒体を巻き戻す工程と、
帯封処理に関するエラーが検知されたときに、帯封媒体における印字および／または押印が行われた箇所を含む部分を除去する旨のガイダンスを操作者に報知する工程と、
を備え、
帯封処理に関するエラーが検知されたときに、前記供給部に帯封媒体が巻き戻されると前記通過検知部により帯封媒体が検知されなくなり、
前記ガイダンスが操作者に報知された後、前記通過検知部により帯封媒体の通過が検知されると、帯封媒体が前記供給部から巻き出されて当該帯封媒体における印字および／または押印が行われた箇所を含む部分が除去されたと判断され、
前記ガイダンスが前記報知部により操作者に報知された後、帯封媒体が前記供給部から巻き出されて当該帯封媒体における印字および／または押印が行われた箇所を含む部分が除去されたと前記制御部により判断されるまでは前記筐体から引き出された前記引出部を当該筐体内に戻すことができないようになっている、帯封方法。
【請求項６】
帯状の帯封媒体を供給部により供給する工程と、
前記供給部により供給される帯封媒体に印字および／または押印を行う工程と、
前記供給部により供給される帯封媒体の通過を通過検知部により検知する工程と、
前記供給部により供給され、印字および／または押印が行われた帯封媒体を紙幣束に巻くことにより帯封紙幣を形成する工程と、
帯封処理に関するエラーが検知されたときに、前記供給部に帯封媒体を巻き戻す工程と、
帯封処理に関するエラーが検知されたときに、帯封媒体における印字および／または押印が行われた箇所を含む部分を除去する旨のガイダンスを操作者に報知する工程と、
を備え、
帯封処理に関するエラーが検知されたときに、前記供給部に帯封媒体が巻き戻されると前記通過検知部により帯封媒体が検知されなくなり、
前記ガイダンスが操作者に報知された後、前記通過検知部により帯封媒体の通過が検知されると、帯封媒体が前記供給部から巻き出されて当該帯封媒体における印字および／または押印が行われた箇所を含む部分が除去されたと判断され、
前記ガイダンスが前記報知部により操作者に報知された後、帯封媒体が前記供給部から巻き出されて当該帯封媒体における印字および／または押印が行われた箇所を含む部分が除去されたと前記制御部により判断されるまでは少なくとも帯封処理に関する動作を行うことができなくなる、帯封方法。
【発明の詳細な説明】
【技術分野】
【０００１】
本発明は、印字や押印が行われた帯封媒体を紙幣束に巻くことにより帯封紙幣を形成する帯封装置およびこのような帯封装置による帯封方法に関する。
【背景技術】
【０００２】
例えば１００枚のバラ紙幣からなる紙幣束に帯状の帯封紙を巻くことにより帯封紙幣を形成する帯封装置として、従来から様々なタイプのものが知られている（例えば、特許文献１、２等参照）。従来の帯封装置では、巻出ロールから巻き出された帯封紙を紙幣束に巻く前に、帯封処理が行われる日付や時間、金融機関名等の所定内容の印字や押印を帯封紙に行うようになっており、所定内容の印字や押印が行われた帯封紙を帯封部に送って紙幣束にこの帯封紙を巻いて溶着した後にカッター等により当該帯封紙を切断するようになっている。また、従来の帯封装置では、帯封紙幣が形成されるまでに帯封処理に関するエラーが発生すると、帯封処理を中断して帯封紙を巻出ロールに巻き戻すようになっている。その後、巻出ロールや帯封部が設けられた引出ユニットを帯封装置の筐体から引き出し、エラーの原因を除去した後に当該引出ユニットを帯封装置の筐体内に戻すと、再び帯封紙が巻出ロールから巻き出されて帯封処理が再開されるようになる。
【先行技術文献】
【特許文献】
【０００３】
【特許文献１】特許第４０３４０６４号
【特許文献２】特許第５４６５４１７号
【発明の概要】
【発明が解決しようとする課題】
【０００４】
しかしながら、上述したような従来の帯封装置では、帯封紙幣が形成されるまでに帯封処理に関するエラーが発生すると、帯封処理を中断して帯封紙を巻出ロールに巻き戻すようになっているため、所定内容の印字や押印が行われた帯封紙が巻出ロールに巻き戻されると、エラーの原因を除去した後に帯封処理が再開されたときに巻出ロールから巻き出された帯封紙に再び所定内容の印字や押印が行われることとなり、帯封紙に印字や押印が二重に行われて印字内容や押印内容が不明確になってしまうおそれがある。また、帯封部において例えば損券の紙幣束に対して帯封処理を行う際に帯封紙に損券である旨の印字や押印が行われた場合において、帯封処理に関するエラーが発生してこのような損券である旨の印字や押印が行われた帯封紙が巻出ロールに巻き戻された後、帯封処理を再開させた後に正券の束に対して帯封処理を行うときに、損券である旨の印字や押印が行われた帯封紙が帯封部に送られて正券の束に巻かれてしまうおそれがある。
【０００５】
本発明は、このような点を考慮してなされたものであり、帯封処理に関するエラーが発生した後にこのエラーの原因を解除したときに、エラーが発生する前に印字や押印が行われた帯封媒体が再び供給部から巻き出されて帯封部に送られてしまうことを防止することができ、よって紙幣束に巻かれた帯封媒体の印字内容や押印内容を適切なものとすることができる帯封装置および帯封方法を提供することを目的とする。
【課題を解決するための手段】
【０００６】
本発明の帯封装置は、帯状の帯封媒体を供給する供給部と、前記帯封装置の筐体から引き出し可能となっており、少なくとも前記供給部が設けられた引出部と、前記供給部により供給される帯封媒体に印字および／または押印を行う帯封媒体加工部と、前記供給部により供給され、前記帯封媒体加工部により印字および／または押印が行われた帯封媒体を紙幣束に巻くことにより帯封紙幣を形成する帯封部と、帯封処理に関するエラーを検知するエラー検知部と、前記供給部により供給される帯封媒体の通過を検知するための通過検知部と、操作者に報知を行う報知部と、前記エラー検知部によりエラーが検知されたときに、前記供給部に帯封媒体を巻き戻すよう当該供給部を制御する制御部と、を備え、前記エラー検知部によりエラーが検知されたときに前記供給部に帯封媒体が巻き戻されると前記通過検知部により帯封媒体が検知されなくなるようになっており、前記制御部は、前記エラー検知部によりエラーが検知されたときに、帯封媒体における印字および／または押印が行われた箇所を含む部分を除去する旨のガイダンスを操作者に報知するよう前記報知部を制御するようになっており、前記ガイダンスが前記報知部により操作者に報知された後、前記通過検知部により帯封媒体の通過が検知されると、帯封媒体が前記供給部から巻き出されて当該帯封媒体における印字および／または押印が行われた箇所を含む部分が除去されたと判断するようになっており、前記ガイダンスが前記報知部により操作者に報知された後、帯封媒体が前記供給部から巻き出されて当該帯封媒体における印字および／または押印が行われた箇所を含む部分が除去されたと前記制御部により判断されるまでは前記筐体から引き出された前記引出部を当該筐体内に戻すことができないようになっていることを特徴とする。
また、本発明の帯封装置は、帯状の帯封媒体を供給する供給部と、前記供給部により供給される帯封媒体に印字および／または押印を行う帯封媒体加工部と、前記供給部により供給され、前記帯封媒体加工部により印字および／または押印が行われた帯封媒体を紙幣束に巻くことにより帯封紙幣を形成する帯封部と、帯封処理に関するエラーを検知するエラー検知部と、前記供給部により供給される帯封媒体の通過を検知するための通過検知部と、操作者に報知を行う報知部と、前記エラー検知部によりエラーが検知されたときに、前記供給部に帯封媒体を巻き戻すよう当該供給部を制御する制御部と、を備え、前記エラー検知部によりエラーが検知されたときに前記供給部に帯封媒体が巻き戻されると前記通過検知部により帯封媒体が検知されなくなるようになっており、前記制御部は、前記エラー検知部によりエラーが検知されたときに、帯封媒体における印字および／または押印が行われた箇所を含む部分を除去する旨のガイダンスを操作者に報知するよう前記報知部を制御するようになっており、前記ガイダンスが前記報知部により操作者に報知された後、前記通過検知部により帯封媒体の通過が検知されると、帯封媒体が前記供給部から巻き出されて当該帯封媒体における印字および／または押印が行われた箇所を含む部分が除去されたと判断するようになっており、前記ガイダンスが前記報知部により操作者に報知された後、帯封媒体が前記供給部から巻き出されて当該帯封媒体における印字および／または押印が行われた箇所を含む部分が除去されたと前記制御部により判断されるまでは少なくとも帯封処理に関する動作を行うことができなくなることを特徴とする。
【０００７】
このような帯封装置によれば、帯封処理に関するエラーが発生したときに、帯封媒体における印字および／または押印が行われた箇所を含む部分を除去する旨のガイダンスを操作者に報知することにより、エラーの原因を解除したときに当該エラーが発生する前に印字や押印が行われた帯封媒体が再び供給部から巻き出されて帯封部に送られてしまうことを防止することができ、よって紙幣束に巻かれた帯封媒体の印字内容や押印内容を適切なものとすることができる。
【０００８】
本発明の帯封装置においては、前記制御部は、前記帯封媒体加工部により帯封媒体に印字および／または押印を行った後、前記帯封部において帯封紙幣が形成されるまでの間に前記エラー検知部によりエラーが検知されたときにおいてのみ、前記ガイダンスを操作者に報知するよう前記報知部を制御するようになっていてもよい。
【０００９】
本発明の帯封装置においては、前記帯封部は、前記供給部により供給され、前記紙幣束に巻かれた帯封媒体を切断するための切断部材を有しており、前記制御部は、前記帯封媒体加工部により帯封媒体に印字および／または押印を行った後、前記帯封部の前記切断部材により帯封媒体が切断されるまでの間に前記エラー検知部によりエラーが検知されたときにおいてのみ、前記ガイダンスを操作者に報知するよう前記報知部を制御するようになっていてもよい。
【００１３】
本発明の帯封方法は、筐体と、前記筐体から引き出し可能となっており、少なくとも供給部が設けられた引出部とを備えた帯封装置により行われる帯封方法であって、帯状の帯封媒体を前記供給部により供給する工程と、前記供給部により供給される帯封媒体に印字および／または押印を行う工程と、前記供給部により供給される帯封媒体の通過を通過検知部により検知する工程と、前記供給部により供給され、印字および／または押印が行われた帯封媒体を紙幣束に巻くことにより帯封紙幣を形成する工程と、帯封処理に関するエラーが検知されたときに、前記供給部に帯封媒体を巻き戻す工程と、帯封処理に関するエラーが検知されたときに、帯封媒体における印字および／または押印が行われた箇所を含む部分を除去する旨のガイダンスを操作者に報知する工程と、を備え、帯封処理に関するエラーが検知されたときに、前記供給部に帯封媒体が巻き戻されると前記通過検知部により帯封媒体が検知されなくなり、前記ガイダンスが操作者に報知された後、前記通過検知部により帯封媒体の通過が検知されると、帯封媒体が前記供給部から巻き出されて当該帯封媒体における印字および／または押印が行われた箇所を含む部分が除去されたと判断され、前記ガイダンスが前記報知部により操作者に報知された後、帯封媒体が前記供給部から巻き出されて当該帯封媒体における印字および／または押印が行われた箇所を含む部分が除去されたと前記制御部により判断されるまでは前記筐体から引き出された前記引出部を当該筐体内に戻すことができないようになっていることを特徴とする。
また、本発明の帯封方法は、帯状の帯封媒体を供給部により供給する工程と、前記供給部により供給される帯封媒体に印字および／または押印を行う工程と、前記供給部により供給される帯封媒体の通過を通過検知部により検知する工程と、前記供給部により供給され、印字および／または押印が行われた帯封媒体を紙幣束に巻くことにより帯封紙幣を形成する工程と、帯封処理に関するエラーが検知されたときに、前記供給部に帯封媒体を巻き戻す工程と、帯封処理に関するエラーが検知されたときに、帯封媒体における印字および／または押印が行われた箇所を含む部分を除去する旨のガイダンスを操作者に報知する工程と、を備え、帯封処理に関するエラーが検知されたときに、前記供給部に帯封媒体が巻き戻されると前記通過検知部により帯封媒体が検知されなくなり、前記ガイダンスが操作者に報知された後、前記通過検知部により帯封媒体の通過が検知されると、帯封媒体が前記供給部から巻き出されて当該帯封媒体における印字および／または押印が行われた箇所を含む部分が除去されたと判断され、前記ガイダンスが前記報知部により操作者に報知された後、帯封媒体が前記供給部から巻き出されて当該帯封媒体における印字および／または押印が行われた箇所を含む部分が除去されたと前記制御部により判断されるまでは少なくとも帯封処理に関する動作を行うことができなくなることを特徴とする。
【００１４】
このような帯封方法によれば、帯封処理に関するエラーが発生したときに、帯封媒体における印字および／または押印が行われた箇所を含む部分を除去する旨のガイダンスを操作者に報知することにより、エラーの原因を解除したときに当該エラーが発生する前に印字や押印が行われた帯封媒体が再び供給部から巻き出されて帯封部に送られてしまうことを防止することができ、よって紙幣束に巻かれた帯封媒体の印字内容や押印内容を適切なものとすることができる。
【発明の効果】
【００１５】
本発明の帯封装置および帯封方法によれば、帯封処理に関するエラーが発生した後にこのエラーの原因を解除したときに、エラーが発生する前に印字や押印が行われた帯封媒体が再び供給部から巻き出されて帯封部に送られてしまうことを防止することができ、よって紙幣束に巻かれた帯封媒体の印字内容や押印内容を適切なものとすることができる。
【図面の簡単な説明】
【００１６】
【図１】本発明の実施の形態による貨幣処理機の外観を示す斜視図である。
【図２】図１に示す貨幣処理機における紙幣処理装置の内部構成を概略的に示す概略構成図である。
【図３】図１や図２に示す貨幣処理機における制御系の構成を示す機能ブロック図である。
【図４】図２等に示す貨幣処理機の帯封機構を側方から見たときの構成の詳細を示す構成図である。
【図５】図２等に示す貨幣処理機において帯封機構により帯封処理を行う際の動作を示すフローチャートである。
【図６】（ａ）（ｂ）は、図２等に示す貨幣処理機において帯封機構により帯封処理を行う際にエラーが発生したときに操作表示部に表示されるガイダンス画面を示す図である。
【図７】図２等に示す貨幣処理機において帯封紙幣を一括帯封紙幣収納庫や金種別帯封紙幣収納庫に収納させる際にエラーが発生したときに操作表示部に表示されるガイダンス画面を示す図である。
【図８】従来技術の貨幣処理機において帯封紙幣を一括帯封紙幣収納庫や金種別帯封紙幣収納庫に収納させる際にエラーが発生したときに操作表示部に表示されるガイダンス画面を示す図である。
【発明を実施するための形態】
【００１７】
以下、図面を参照して本発明の実施の形態について説明する。図１乃至図７は、本実施の形態に係る紙幣処理装置およびこのような紙幣処理装置を備えた貨幣処理機を示す図である。このうち、図１は、本実施の形態による貨幣処理機の外観を示す斜視図であり、図２は、図１に示す貨幣処理機における紙幣処理装置の内部構成を概略的に示す概略構成図であり、図３は、図１や図２に示す貨幣処理機における制御系の構成を示す機能ブロック図である。また、図４は、図２等に示す貨幣処理機の帯封機構を側方から見たときの構成の詳細を示す構成図である。また、図５は、図２等に示す貨幣処理機において帯封機構により帯封処理を行う際の動作を示すフローチャートであり、図６（ａ）（ｂ）は、図２等に示す貨幣処理機において帯封機構により帯封処理を行う際にエラーが発生したときに操作表示部に表示されるガイダンス画面を示す図である。また、図７は、図２等に示す貨幣処理機において帯封紙幣を一括帯封紙幣収納庫や金種別帯封紙幣収納庫に収納させる際にエラーが発生したときに操作表示部に表示されるガイダンス画面を示す図である。なお、図８は、従来技術の貨幣処理機において帯封紙幣を一括帯封紙幣収納庫や金種別帯封紙幣収納庫に収納させる際にエラーが発生したときに操作表示部に表示されるガイダンス画面を示す図である。
【００１８】
本実施の形態による貨幣処理機１は、バラ紙幣やバラ硬貨の入金処理や出金処理を行うことができるとともに、機体内で所定枚数（例えば、１００枚）のバラ紙幣から帯封紙幣を形成したり帯封紙幣の出金処理を行ったりすることができるようになっている。図１に示すように、本実施の形態による貨幣処理機１は、左右に並ぶよう配置された紙幣処理装置２および硬貨処理装置３から構成されている。なお、硬貨処理装置３については本発明と直接的な関係がないためその説明を省略する。
【００１９】
本実施の形態による貨幣処理機１における紙幣処理装置２の内部構成の詳細について図１および図２を用いて説明する。図１および図２に示すように、紙幣処理装置２は略直方体形状の筐体１２を有しており、この筐体１２の前面には、筐体１２の外部から内部にバラ紙幣を入金するための入金部１４、筐体１２の内部から外部にバラ紙幣を出金するためのバラ紙幣出金部１６、および筐体１２の内部から外部に帯封紙幣を出金するための帯封紙幣出金部１７がそれぞれ設けられている。なお、図２における筐体１２の左側の側面が紙幣処理装置２の前面側（すなわち、図１に示すように紙幣処理装置２を見たときの正面側）となっており、図２における右方向が筐体１２の奥行き方向となっている。ここで、図２に示すように、入金部１４にはシャッター１４ａが設けられており、このシャッター１４ａは、入金部１４における筐体１２の前面に面する開口を開閉するようになっている。そして、シャッター１４ａにより入金部１４の開口が開かれると、操作者は入金部１４にアクセスすることができるようになり、当該操作者は入金部１４に１または複数のバラ紙幣を積層状態で投入することができるようになる。なお、図１では、シャッター１４ａが開かれて操作者が入金部１４にアクセスすることができるようになっている状態が示されている。このようなシャッター１４ａはシャッター駆動部１４ｂ（図３参照）により駆動されるようになっている。なお、シャッター１４ａを設けずに入金部１４を開放したままの状態としてもよい。また、バラ紙幣出金部１６にはシャッター１６ａが設けられており、このシャッター１６ａは、バラ紙幣出金部１６の前面に面する開口および帯封紙幣出金部１７の前面に面する開口を一体的に開閉するようになっている。そして、シャッター１６ａによりバラ紙幣出金部１６および帯封紙幣出金部１７の開口が開かれると、操作者はバラ紙幣出金部１６および帯封紙幣出金部１７にそれぞれアクセスすることができるようになり、当該操作者はバラ紙幣出金部１６や帯封紙幣出金部１７に集積されているバラ紙幣や帯封紙幣を筐体１２の外部に取り出すことができるようになる。このようなシャッター１６ａはシャッター駆動部１６ｂ（図３参照）により駆動されるようになっている。
【００２０】
図２に示すように、筐体１２の前面における入金部１４の下方には、紙幣処理装置２においてバラ紙幣の出金処理が行われる際にバラ紙幣出金部１６により出金すべきではないと判断されたバラ紙幣が集積される出金リジェクト部２４、および紙幣処理装置２においてバラ紙幣の入金処理が行われる際に後述する一括バラ紙幣収納庫３２や各金種別バラ紙幣収納庫３４に収納すべきではないと判断されたバラ紙幣が集積される入金リジェクト部２６がそれぞれ設けられている。ここで、図１および図２に示すように、出金リジェクト部２４および入金リジェクト部２６にはそれぞれシャッター２４ａ、２６ａが設けられており、これらのシャッター２４ａ、２６ａは、出金リジェクト部２４や入金リジェクト部２６における筐体１２の前面に面する開口をそれぞれ開閉するようになっている。そして、シャッター２４ａ、２６ａにより出金リジェクト部２４や入金リジェクト部２６の開口が開かれると、操作者は出金リジェクト部２４や入金リジェクト部２６にアクセスすることができるようになり、当該操作者は出金リジェクト部２４や入金リジェクト部２６に集積されているバラ紙幣を筐体１２の外部に取り出すことができるようになる。このようなシャッター２４ａ、２６ａはシャッター駆動部２４ｂ、２６ｂ（図３参照）により駆動されるようになっている。なお、シャッター２６ａを設けずに入金リジェクト部２６を開放したままの状態としてもよい。また、本実施の形態では、入金部１４の隣である直下に出金リジェクト部２４が配置されているため、出金リジェクト部２４内の出金リジェクト紙幣を入金部１４に投入して筐体１２内へ戻すようないわゆる出金リジェクト戻し処理を行なうときに、離れた位置から入金部１４へ投入するのではないので利便性に富んでいる。
【００２１】
図２に示すように、入金部１４には、当該入金部１４に投入されたバラ紙幣を１枚ずつ筐体１２の内部に繰り出すための紙幣繰出機構１４ｃが設けられている。また、紙幣処理装置２の筐体１２の内部には、当該筐体１２内でバラ紙幣を１枚ずつ搬送する搬送部１５が設けられており、紙幣繰出機構１４ｃにより入金部１４から繰り出されたバラ紙幣は当該搬送部１５により搬送されるようになっている。また、搬送部１５には識別部２０が設けられており、搬送部１５により搬送されるバラ紙幣は識別部２０によりその金種、真偽、表裏、正損、新旧、搬送状態等が識別されるようになっている。また、搬送部１５には表裏反転部２２が設けられており、識別部２０により識別されたバラ紙幣は表裏反転部２２によりその表裏が揃うように反転させられるようになっている。
【００２２】
また、図２に示すように、搬送部１５には入金一時保留部３０、一括バラ紙幣収納庫３２および複数（図２に示す例では３つ）の金種別バラ紙幣収納庫３４がそれぞれ接続されており、搬送部１５からこれらの入金一時保留部３０、一括バラ紙幣収納庫３２および各金種別バラ紙幣収納庫３４にバラ紙幣が送られるようになっている。これらの入金一時保留部３０、一括バラ紙幣収納庫３２および各金種別バラ紙幣収納庫３４では、バラ紙幣が積層状態で集積されるようになっている。また、入金一時保留部３０には紙幣繰出繰入機構３０ａが設けられており、当該入金一時保留部３０に一時的に保留されているバラ紙幣は紙幣繰出繰入機構３０ａにより１枚ずつ搬送部１５に繰り出されるようになっている。また、紙幣繰出繰入機構３０ａにより搬送部１５から入金一時保留部３０に紙幣が１枚ずつ繰り入れられるようになっている。ここで、入金一時保留部３０には、バラ紙幣の入金処理において識別部２０により識別されたバラ紙幣が一括バラ紙幣収納庫３２や各金種別バラ紙幣収納庫３４に収納される前に一時的に保留されるようになっている。また、一括バラ紙幣収納庫３２には紙幣繰出繰入機構３２ａが設けられており、当該一括バラ紙幣収納庫３２に収納されているバラ紙幣は紙幣繰出繰入機構３２ａにより１枚ずつ搬送部１５に繰り出されるようになっている。また、紙幣繰出繰入機構３２ａにより搬送部１５から一括バラ紙幣収納庫３２にバラ紙幣が１枚ずつ繰り入れられるようになっている。ここで、一括バラ紙幣収納庫３２には、複数の金種のバラ紙幣が混合状態で収納されるようになっている。また、各金種別バラ紙幣収納庫３４には紙幣繰出繰入機構３４ａが設けられており、各金種別バラ紙幣収納庫３４に収納されているバラ紙幣は紙幣繰出繰入機構３４ａにより１枚ずつ搬送部１５に繰り出されるようになっている。また、紙幣繰出繰入機構３４ａにより搬送部１５から各金種別バラ紙幣収納庫３４にバラ紙幣が１枚ずつ繰り入れられるようになっている。ここで、各金種別バラ紙幣収納庫３４には、それぞれ予め設定された特定の金種のバラ紙幣が収納されるようになっている。
【００２３】
図１および図２に示すように、筐体１２の下部には前扉１２ａが設けられており、この前扉１２ａを開くことにより操作者は入金一時保留部３０の内部にアクセスすることができるようになっている。また、入金一時保留部３０、一括バラ紙幣収納庫３２および各金種別バラ紙幣収納庫３４は、筐体１２の内部から手前側に（すなわち、図２における左方向に）引き出し可能となっている引出ユニット１３に収容されている。そして、操作者が前扉１２ａを開いて引出ユニット１３を筐体１２の内部から手前側に引き出すことにより、当該操作者は一括バラ紙幣収納庫３２および各金種別バラ紙幣収納庫３４を引出ユニット１３から取り外すことができるようになる。
【００２４】
また、図２に示すように、搬送部１５には複数（図２に示す例では２つ）の整理一時保留部４０が接続されており、当該搬送部１５から各整理一時保留部４０にバラ紙幣が送られるとこれらの整理一時保留部４０にバラ紙幣が積層状態で集積されるようになっている。また、本実施の形態による紙幣処理装置２では、所定枚数（例えば、１００枚）のバラ紙幣からなる紙幣束に帯封紙を巻くことにより帯封紙幣を形成する帯封機構５０が設けられている。このような帯封機構５０の構成の詳細については後述する。
【００２５】
また、図２に示すように、筐体１２の内部には第１アーム機構４１および第２アーム機構４２が設けられている。第１アーム機構４１は、各整理一時保留部４０および帯封機構５０の間で移動可能となっており、各整理一時保留部４０に集積された所定枚数のバラ紙幣からなる紙幣束を帯封機構５０に搬送するようになっている。ここで、帯封機構５０において帯封処理が行われる際に、第１アーム機構４１の上下一対のアーム部により挟持された状態にある紙幣束の外周面に帯封紙が巻かれるようになっている。また、第１アーム機構４１は図２に示す位置から上方に移動して第２アーム機構４２に対向する位置まで到達することができるようになっている。このことにより、各整理一時保留部４０から第１アーム機構４１により取り出された１または複数の束状態のバラ紙幣を当該第１アーム機構４１から第２アーム機構４２に受け渡したり、帯封機構５０により形成された帯封紙幣を第１アーム機構４１から第２アーム機構４２に受け渡したりすることができるようになる。
【００２６】
第２アーム機構４２は図２に示す位置からバラ紙幣出金部１６に向かって筐体１２の手前側に（すなわち、図２における左方向に）移動することができるようになっている。このことにより、第１アーム機構４１から１または複数の束状態のバラ紙幣や帯封紙幣が第２アーム機構４２に受け渡された後、第２アーム機構４２の上下一対のアーム部により１または複数の束状態のバラ紙幣や帯封紙幣が挟持された状態で当該第２アーム機構４２が図２の矢印に示すようにバラ紙幣出金部１６に向かって移動することにより、第２アーム機構４２によって保持されている１または複数の束状態のバラ紙幣や帯封紙幣がバラ紙幣出金部１６に送られるようになる。より詳細には、図２に示すように、バラ紙幣出金部１６の背面側（すなわち、図２における右側）には、図２に示す位置から下方に移動可能となっている、鉛直方向に延びる板状の分離部材１９が設けられており、第２アーム機構４２の上下一対のアーム部により１または複数の束状態のバラ紙幣や帯封紙幣が挟持された状態で当該第２アーム機構４２の各アーム部がバラ紙幣出金部１６の内部にアクセスした後、分離部材１９が図２に示す位置から下方に移動し、その後に第２アーム機構４２において各アーム部から１または複数の束状態のバラ紙幣や帯封紙幣が解放されて当該第２アーム機構４２がバラ紙幣出金部１６から遠ざかる方向（すなわち、図２における右方向）に移動すると、１または複数の束状態のバラ紙幣や帯封紙幣は分離部材１９に当接することにより第２アーム機構４２から分離してバラ紙幣出金部１６に残るようになる。
【００２７】
また、図２に示すように、本実施の形態では、バラ紙幣出金部１６および帯封紙幣出金部１７をまたがって図２における上下方向に移動可能となっているステージ１８が設けられている。ここで、本実施の形態の紙幣処理装置２においてバラ紙幣の出金処理が行われる際には、ステージ１８は図２に示すように帯封紙幣出金部１７の底面近傍に位置するようになり、第２アーム機構４２からバラ紙幣出金部１６に送られた１または複数の束状態のバラ紙幣は当該バラ紙幣出金部１６に集積されるようになる。一方、本実施の形態の紙幣処理装置２において帯封紙幣の出金処理が行われる際には、ステージ１８は図２に示す位置から下方に移動してバラ紙幣出金部１６の底面近傍に位置するようになり、第２アーム機構４２からバラ紙幣出金部１６に帯封紙幣が送られると当該帯封紙幣はステージ１８に集積されるようになる。そして、ステージ１８が上昇してバラ紙幣出金部１６から帯封紙幣出金部１７に移動すると、ステージ１８から帯封紙幣出金部１７に帯封紙幣が受け渡されて当該帯封紙幣は帯封紙幣出金部１７に集積されるようになる。本実施の形態では、紙幣処理装置２において複数の帯封紙幣の出金処理が行われるときには、帯封紙幣出金部１７に帯封紙幣が下から順次積み上げられるようになる。
【００２８】
また、図２に示すように、筐体１２の内部における上部領域には、一括帯封紙幣収納庫７０および複数（図２に示す例では３つ）の金種別帯封紙幣収納庫７２が設けられており、これらの一括帯封紙幣収納庫７０や各金種別帯封紙幣収納庫７２には、帯封機構５０により形成された帯封紙幣が積層状態で収納されるようになっている。具体的には、一括帯封紙幣収納庫７０には、複数の金種の帯封紙幣が混合状態で収納されるようになっており、一方、各金種別帯封紙幣収納庫７２には、それぞれ予め設定された特定の金種の帯封紙幣が収納されるようになっている。ここで、ある金種の金種別帯封紙幣収納庫７２がフル状態またはニアフル状態であり当該金種別帯封紙幣収納庫７２に帯封紙幣をこれ以上収納することができなくなった場合には、当該金種の帯封紙幣はオーバーフロー帯封紙幣として一括帯封紙幣収納庫７０に収納されるようになる。
【００２９】
一括帯封紙幣収納庫７０および各金種別帯封紙幣収納庫７２の内部にはそれぞれ図２における上下方向に移動可能となっているステージ７０ａ、７２ａが設けられており、一括帯封紙幣収納庫７０および各金種別帯封紙幣収納庫７２の上端部（天井部分）に設けられた開口からこれらの一括帯封紙幣収納庫７０および各金種別帯封紙幣収納庫７２に送られた帯封紙幣はステージ７０ａ、７２ａ上に積層状態で集積されるようになっている。また、一括帯封紙幣収納庫７０や各金種別帯封紙幣収納庫７２から帯封紙幣を出す場合には、ステージ７０ａ、７２ａが上昇することにより一括帯封紙幣収納庫７０や各金種別帯封紙幣収納庫７２の上端部（天井部分）に設けられた開口から帯封紙幣が上方に出されるようになる。
【００３０】
また、これらの一括帯封紙幣収納庫７０や各金種別帯封紙幣収納庫７２の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣出金部１７と一括帯封紙幣収納庫７０との間には判別部６２が設けられており、帯封紙幣搬送部６０により搬送される帯封紙幣は当該判別部６２によりその金種が判別されるようになっている。
【００３１】
ここで、帯封機構５０により形成された帯封紙幣を一括帯封紙幣収納庫７０や各金種別帯封紙幣収納庫７２に収納させる際には、第２アーム機構４２により帯封紙幣がステージ１８上に集積された後に当該ステージ１８が上昇して帯封紙幣搬送部６０の近傍の位置まで到達するようになる。また、循環ベルト６０ｂは図２における反時計回りの方向に循環移動する。このことにより、ステージ１８上の帯封紙幣が突起６０ａにより引っ掛けられて循環ベルト６０ｂの下面に沿って図２における右方向に搬送され、判別部６２によりその金種が判別された後、当該判別部６２による判別結果に基づいて一括帯封紙幣収納庫７０や各金種別帯封紙幣収納庫７２に収納されるようになる。一方、一括帯封紙幣収納庫７０や各金種別帯封紙幣収納庫７２に収納されている帯封紙幣を帯封紙幣出金部１７により出金する際には、循環ベルト６０ｂは図２における時計回りの方向に循環移動し、一括帯封紙幣収納庫７０や各金種別帯封紙幣収納庫７２から上方に押し出された帯封紙幣が突起６０ａにより引っ掛けられて循環ベルト６０ｂの下面に沿って図２における左方向に搬送されるようになる。また、ステージ１８が上昇して帯封紙幣搬送部６０の近傍の位置まで到達するようになる。そして、帯封紙幣搬送部６０により搬送される帯封紙幣の金種が判別部６２により判別された後、当該帯封紙幣はステージ１８上に１つずつ集積され、ステージ１８上に所定の数の帯封紙幣が集積されると当該ステージ１８が下降してこのステージ１８から帯封紙幣出金部１７に帯封紙幣が受け渡されるようになる。帯封紙幣が循環ベルト６０ｂの下面に沿って搬送される際に、一括帯封紙幣収納庫７０および各金種別帯封紙幣収納庫７２の上端部（天井部分）に設けられた開口のうち、帯封紙幣の繰り出しや繰り入れの対象となる一括帯封紙幣収納庫７０および各金種別帯封紙幣収納庫７２の開口が開くようになる。一方、帯封紙幣の繰り出しや繰り入れの対象外の一括帯封紙幣収納庫７０および各金種別帯封紙幣収納庫７２の開口はシャッター（図示しない）で塞がれるようになり、帯封紙幣の通過の妨げとならないようになっている。
【００３２】
次に、本実施の形態の紙幣処理装置２における帯封機構５０の構成の詳細について図４を用いて説明する。図４に示すように、帯封機構５０は、帯状の帯封紙（図４において参照符号Ｂで表示）が巻かれた巻出ロール５１と、巻出ロール５１から巻き出された帯封紙に、帯封処理が行われる日付や時間等や金融機関名等の所定内容の印字を行うインクジェットプリンタ等の印字部材５２と、巻出ロール５１から巻き出された帯封紙に「損券印」等の所定内容の押印を選択的に行うスタンプ等の押印部材５３と、巻出ロール５１から巻き出されて印字部材５２や押印部材５３により印字や押印が行われた帯封紙を紙幣束（図４において参照符号Ｐで表示）に巻くことにより帯封紙幣を形成する帯封部５４とを有している。ここで、巻出ロール５１において帯状の帯封紙は回転軸５１ａの周囲に巻かれるようになっている。また、回転軸５１ａの駆動を行う駆動モータ５１ｂが設けられており、当該駆動モータ５１ｂにより回転軸５１ａは正逆両方向に回転可能となっている。具体的には、巻出ロール５１から巻き出された帯封紙が帯封部５４に供給される場合には駆動モータ５１ｂにより回転軸５１ａは図４における反時計回りの方向に回転させられ、一方、帯封紙が巻出ロール５１に巻き戻される場合には駆動モータ５１ｂにより回転軸５１ａは図４における時計回りの方向に回転させられるようになる。
【００３３】
帯封部５４は、第１アーム機構４１の上下一対のアーム部により挟持されている所定枚数のバラ紙幣からなる紙幣束に帯封紙を巻いて帯封紙幣を形成するようになっている。具体的には、帯封部５４は、紙幣束に巻かれた帯封紙を溶着するヒータ５４ａと、紙幣束に巻かれてヒータ５４ａにより溶着された帯封紙を切断するカッター５４ｂとを有している。このことにより、図示しないテープホルダによって図４に示すように帯封紙が紙幣束の周囲に巻かれた後に締め付けられ、締め付けられた帯封紙がヒータ５４ａにより溶着され、その後にカッター５４ｂにより帯封紙が切断されることにより、帯封紙幣が形成されるようになる。
【００３４】
図４に示すように、巻出ロール５１、印字部材５２、押印部材５３はそれぞれ帯封機構５０の上部に設けられた第１引出ユニット５０ａに収容されており、一方、帯封部５４は帯封機構５０の下部に設けられた第２引出ユニット５０ｂに収容されている。また、これらの第１引出ユニット５０ａおよび第２引出ユニット５０ｂはそれぞれ筐体１２から引き出し可能となっている。そして、巻出ロール５１の交換を行ったり、巻出ロール５１から巻き出された帯封紙を操作者が切断したりする場合には、第１引出ユニット５０ａおよび第２引出ユニット５０ｂを一体的に筐体１２から引き出した後、第１引出ユニット５０ａを更に引き出すことにより、操作者は第１引出ユニット５０ａの内部にアクセス可能となる。
【００３５】
また、図４に示すように、第２引出ユニット５０ｂにおける帯封紙の入口近傍には、帯封紙の検知を行う第１検知センサ５６が設けられている。第１検知センサ５６は、巻出ロール５１から帯封部５４に送られる帯封紙を挟むよう設けられた発光素子および受光素子を含むフォトインタラプタから構成されており、当該フォトインタラプタにおける発光素子と受光素子との間の光軸が帯封紙により遮られてフォトインタラプタが遮光状態となることにより帯封紙の通過が検知されるようになる。帯封機構５０において帯封紙幣が形成される際に、各整理一時保留部４０に所定枚数（例えば、１００枚）の帯封紙幣が集積されると、巻出ロール５１から帯封紙が巻き出されて印字部材５２や押印部材５３により帯封紙に所定内容の印字や押印が行われ、その後にこの帯封紙の先端部分が第１検知センサ５６により検知されると巻出ロール５１からの帯封紙の巻き出し動作が停止される。このことにより、所定内容の印字や押印が行われた帯封紙は、その先端部分が第１検知センサ５６に位置する状態で待機するようになる。そして、第１アーム機構４１により整理一時保留部４０から取り出された紙幣束が帯封機構５０の帯封部５４まで搬送されると、巻出ロール５１からの帯封紙の巻き出し動作が再開され、その先端部分が第１検知センサ５６に位置する状態で待機していた帯封紙が帯封部５４に送られるようになる。
【００３６】
また、本実施の形態では、図４に示すように、第１引出ユニット５０ａにおける帯封紙の出口近傍にも、帯封紙の検知を行う第２検知センサ５８が設けられている。第２検知センサ５８も、巻出ロール５１から帯封部５４に送られる帯封紙を挟むよう設けられた発光素子および受光素子を含むフォトインタラプタから構成されており、当該フォトインタラプタにおける発光素子と受光素子との間の光軸が帯封紙により遮られてフォトインタラプタが遮光状態となることにより帯封紙の通過が検知されるようになる。このような第２検知センサ５８の機能の詳細については後述する。
【００３７】
また、本実施の形態の貨幣処理機１には、当該貨幣処理機１の各構成部材の制御を行う制御部８０が設けられている。より詳細には、図３に示すように、制御部８０には、紙幣処理装置２の入金部１４（具体的には、入金部１４に設けられた紙幣繰出機構１４ｃ）、搬送部１５、識別部２０、表裏反転部２２、入金一時保留部３０（具体的には、入金一時保留部３０に設けられた紙幣繰出繰入機構３０ａ）、一括バラ紙幣収納庫３２（具体的には、一括バラ紙幣収納庫３２に設けられた紙幣繰出繰入機構３２ａ）、各金種別バラ紙幣収納庫３４（具体的には、各金種別バラ紙幣収納庫３４に設けられた紙幣繰出繰入機構３４ａ）、第１アーム機構４１、第２アーム機構４２、帯封機構５０、帯封紙幣搬送部６０、判別部６２、一括帯封紙幣収納庫７０、各金種別帯封紙幣収納庫７２、各シャッター１４ａ、１６ａ、２４ａ、２６ａを開閉させるシャッター駆動部１４ｂ、１６ｂ、２４ｂ、２６ｂがそれぞれ接続されている。そして、識別部２０による紙幣の識別結果に係る信号や判別部６２による帯封紙幣の金種の判別結果に係る情報等が制御部８０に送られるとともに、制御部８０は紙幣処理装置２の各構成部材に指令信号を送ることによりこれらの構成部材の動作を制御するようになっている。
【００３８】
また、図３に示すように、制御部８０には硬貨処理装置３の各構成部材が接続されており、当該制御部８０が硬貨処理装置３の各構成部材の動作を制御することにより硬貨処理装置３においてバラ硬貨の入金処理や出金処理等が行われるようになっている。このような制御部８０による硬貨処理装置３の各構成部材の制御方法の詳細については説明を省略する。また、図３に示すように、制御部８０には操作表示部８２、記憶部８４、印字部８６および通信インターフェース部８８がそれぞれ通信可能に接続されている。図１に示すように、操作表示部８２は貨幣処理機１の前面に設けられたタッチパネル等からなり、当該操作表示部８２には、貨幣処理機１における貨幣の処理状況や、紙幣処理装置２や硬貨処理装置３に収納されているバラ紙幣、帯封紙幣およびバラ硬貨の在高等に関する情報が表示されるようになっている。また、操作者は操作表示部８２により制御部８０に対して様々な指令を与えることができるようになっている。
【００３９】
記憶部８４には、貨幣処理機１における貨幣の処理履歴や、紙幣処理装置２や硬貨処理装置３に収納されているバラ紙幣、帯封紙幣およびバラ硬貨の在高等に関する情報が記憶されるようになっている。また、図１に示すように、印字部８６は貨幣処理機１の前面に設けられたプリンタ等からなり、当該印字部８６は、貨幣処理機１における貨幣の処理履歴や、紙幣処理装置２や硬貨処理装置３に収納されているバラ紙幣、帯封紙幣およびバラ硬貨の在高等に関する情報をレシート等に印字するようになっている。また、制御部８０は通信インターフェース部８８を介して本実施の形態による貨幣処理機１とは別に設けられた外部装置（具体的には、例えば上位端末）に対して信号の送受信を行うことができるようになっている。
【００４０】
また、本実施の形態では、帯封機構５０による帯封処理に関するエラーを検知するエラー検知部９０が制御部８０に接続されている。エラー検知部９０は、帯封機構５０により帯封処理が行われる際に、帯封処理に関するエラーが発生した場合にはこのことを検知するようになっている。具体的には、巻出ロール５１からの帯封紙の巻き出し動作が正常に行われなかったり、巻出ロール５１から巻き出された帯封紙が紙幣束に適切に巻かれなかったりした場合等に、エラー検知部９０により帯封処理に関するエラーが発生したことが検知される。
【００４１】
次に、このような構成からなる貨幣処理機１における紙幣処理装置２の動作について説明する。なお、以下に示すような紙幣処理装置２の動作は、制御部８０が紙幣処理装置２の各構成部材を制御することにより行われるようになっている。
【００４２】
まず、紙幣処理装置２においてバラ紙幣の入金処理を行う際の動作について説明する。本実施の形態による紙幣処理装置２が待機状態となっているときに、操作者が入金処理開始の指令を操作表示部８２により制御部８０に入力したり上位端末等の外部装置から通信インターフェース部８８を介して制御部８０に入金処理開始の指令が送信されたりすると、入金部１４に設けられたシャッター１４ａが開かれるようになり、操作者は入金部１４に１または複数のバラ紙幣を投入することができるようになる。入金部１４に投入されたバラ紙幣は紙幣繰出機構１４ｃにより１枚ずつ筐体１２内に繰り出され、搬送部１５により１枚ずつ搬送される。そして、搬送部１５により搬送されるバラ紙幣は識別部２０によりその金種、真偽、表裏、正損、新旧、搬送状態等が識別される。また、識別部２０により識別されたバラ紙幣は表裏反転部２２によりその表裏が整えられる。そして、識別部２０により正常な紙幣ではないと識別された紙幣、すなわちリジェクト紙幣は表裏反転部２２から搬送部１５により入金リジェクト部２６に送られる。ここで、入金部１４に投入されたバラ紙幣が全て筐体１２内に繰り出されると、入金リジェクト部２６に設けられたシャッター２６ａが開かれるようになり、操作者は入金リジェクト部２６に集積されたリジェクト紙幣を手動で取り出し、入金部１４に再投入等することができるようになる。
【００４３】
一方、識別部２０により正常な紙幣であると識別されたバラ紙幣は、表裏反転部２２から搬送部１５により入金一時保留部３０に送られ、この入金一時保留部３０で一時的に保留されるようになる。そして、入金部１４に投入されたバラ紙幣が全て筐体１２内に繰り出されて入金一時保留部３０または入金リジェクト部２６に送られると、操作表示部８２には操作者に対して入金確定の指令を促すメッセージが表示される。操作表示部８２に表示される当該メッセージを見た操作者が操作表示部８２により入金確定の指令を入力すると、入金一時保留部３０から紙幣繰出繰入機構３０ａによりバラ紙幣が１枚ずつ搬送部１５に繰り出され、当該搬送部１５により一括バラ紙幣収納庫３２または各金種別バラ紙幣収納庫３４に送られる。より詳細には、入金一時保留部３０から搬送部１５に繰り出されたバラ紙幣は、識別部２０により識別され、表裏反転部２２によりその表裏が整えられた後に、対応する金種の各金種別バラ紙幣収納庫３４に送られるが、対応する金種の金種別バラ紙幣収納庫３４がフル状態またはニアフル状態である場合には当該バラ紙幣はオーバーフロー紙幣として一括バラ紙幣収納庫３２に送られるようになる。そして、入金一時保留部３０からバラ紙幣が全て搬送部１５に繰り出されて各金種別バラ紙幣収納庫３４や一括バラ紙幣収納庫３２に送られると、紙幣処理装置２におけるバラ紙幣の入金処理に係る一連の動作が完了する。
【００４４】
次に、紙幣処理装置２においてバラ紙幣の出金処理を行う際の動作について説明する。本実施の形態による紙幣処理装置２が待機状態となっているときに、出金すべきバラ紙幣の金種毎の枚数や合計金額等に係る情報を含むバラ紙幣の出金処理開始の指令を操作者が操作表示部８２により制御部８０に入力したり上位端末等の外部装置から通信インターフェース部８８を介して制御部８０に上記のバラ紙幣の出金処理開始の指令が送信されたりすると、出金すべき金種のバラ紙幣が各金種別バラ紙幣収納庫３４から１枚ずつ紙幣繰出繰入機構３４ａにより搬送部１５に繰り出される。そして、搬送部１５に繰り出されたバラ紙幣は当該搬送部１５により１枚ずつ搬送され、識別部２０によりその金種、表裏、搬送状態等が識別される。また、識別部２０により識別されたバラ紙幣は表裏反転部２２によりその表裏が整えられる。
【００４５】
識別部２０により識別されたバラ紙幣が、バラ紙幣出金部１６により出金することができると判断された紙幣である場合には、当該バラ紙幣はバラ紙幣出金部１６に送られる。具体的には、バラ紙幣出金部１６により出金することができると判断された紙幣は、識別部２０から搬送部１５により上下の整理一時保留部４０のうち一方の整理一時保留部４０に送られ、当該整理一時保留部４０に集積される。そして、整理一時保留部４０に集積されたバラ紙幣の枚数が出金すべき枚数に達すると、整理一時保留部４０に集積されたバラ紙幣の束が第１アーム機構４１により当該整理一時保留部４０から取り出される。その後、第１アーム機構４１が図２に示す位置から上昇して第２アーム機構４２に対向する位置まで移動することにより、整理一時保留部４０から取り出された紙幣の束は第１アーム機構４１から第２アーム機構４２に受け渡され、当該第２アーム機構４２により紙幣の束がバラ紙幣出金部１６に送られる。ここで、バラ紙幣の出金処理が行われる際には、ステージ１８は図２に示すように帯封紙幣出金部１７の底面近傍に位置するようになり、第２アーム機構４２からバラ紙幣出金部１６に送られたバラ紙幣は当該バラ紙幣出金部１６に集積されるようになる。そして、出金されるべきバラ紙幣が全てバラ紙幣出金部１６に送られると、このバラ紙幣出金部１６に設けられたシャッター１６ａが開くことにより、操作者はバラ紙幣出金部１６からバラ紙幣を取り出すことができるようになる。なお、識別部２０により識別されたバラ紙幣が、バラ紙幣出金部１６により出金することができると判断された紙幣ではない場合には、当該バラ紙幣は出金リジェクト部２４に送られてこの出金リジェクト部２４に集積されるようになる。
【００４６】
次に、紙幣処理装置２において帯封紙幣の出金処理を行う際の動作について説明する。本実施の形態による紙幣処理装置２が待機状態となっているときに、出金すべき帯封紙幣の金種毎の数や合計金額等に係る情報を含む帯封紙幣の出金処理開始の指令を操作者が操作表示部８２により制御部８０に入力したり上位端末等の外部装置から通信インターフェース部８８を介して制御部８０に上記の帯封紙幣の出金処理開始の指令が送信されたりすると、出金すべき帯封紙幣の金種に対応するバラ紙幣が各金種別バラ紙幣収納庫３４から１枚ずつ紙幣繰出繰入機構３４ａにより搬送部１５に繰り出される。そして、搬送部１５に繰り出されたバラ紙幣は当該搬送部１５により１枚ずつ搬送され、識別部２０によりその金種、表裏、搬送状態等が識別される。また、識別部２０により識別されたバラ紙幣は表裏反転部２２によりその表裏が整えられる。その後、バラ紙幣は搬送部１５により上下の整理一時保留部４０のうち一方の整理一時保留部４０に送られ、当該整理一時保留部４０に集積される。
【００４７】
そして、整理一時保留部４０に集積されたバラ紙幣の枚数が所定枚数（具体的には、例えば１００枚）に達すると、整理一時保留部４０に集積されたバラ紙幣の束が第１アーム機構４１により当該整理一時保留部４０から取り出され、この紙幣束は第１アーム機構４１により帯封機構５０に送られる。そして、帯封機構５０において、第１アーム機構４１の上下一対のアーム部により紙幣束が挟持された状態でこの紙幣束の外周面に帯封紙が巻かれることにより帯封紙幣が形成される。その後、第１アーム機構４１は帯封紙幣を保持した状態で図２に示す位置から上方に移動して第２アーム機構４２に対向する位置まで到達すると、第１アーム機構４１から第２アーム機構４２に帯封紙幣が受け渡される。そして、第２アーム機構４２が図２に示す位置からバラ紙幣出金部１６に向かって左方向に移動し、帯封紙幣がバラ紙幣出金部１６に送られる。ここで、帯封紙幣の出金処理が行われる際には、ステージ１８は図２に示す位置から下方に移動してバラ紙幣出金部１６の底面近傍に位置するようになり、第２アーム機構４２からバラ紙幣出金部１６に帯封紙幣が送られると当該帯封紙幣はステージ１８に集積されるようになる。そして、ステージ１８が上昇してバラ紙幣出金部１６から帯封紙幣出金部１７に移動すると、ステージ１８から帯封紙幣出金部１７に帯封紙幣が受け渡されて当該帯封紙幣は帯封紙幣出金部１７に集積されるようになる。本実施の形態では、紙幣処理装置２において複数の帯封紙幣の出金処理が行われるときには、帯封紙幣出金部１７に帯封紙幣が下から順次積み上げられるようになる。そして、出金されるべき帯封紙幣が全て帯封紙幣出金部１７に送られると、バラ紙幣出金部１６に設けられたシャッター１６ａが開くことにより帯封紙幣出金部１７における筐体１２の前面に面する開口も開くようになり、操作者は帯封紙幣出金部１７から帯封紙幣を取り出すことができるようになる。
【００４８】
次に、紙幣処理装置２において帯封紙幣を形成して一括帯封紙幣収納庫７０や各金種別帯封紙幣収納庫７２に収納させるような帯封紙幣の収納処理を行う際の動作について説明する。紙幣処理装置２において帯封紙幣の収納処理を行う際の動作において、第２アーム機構４２からバラ紙幣出金部１６に送られた帯封紙幣がステージ１８に集積されるまでの動作は上述した帯封紙幣の出金処理を行う際の動作と同一である。このため、帯封紙幣がステージ１８に集積された後の動作について以下に説明する。
【００４９】
帯封機構５０により形成された帯封紙幣が第２アーム機構４２によりステージ１８上に集積されると、当該ステージ１８が上昇して帯封紙幣搬送部６０の近傍の位置まで到達する。また、帯封紙幣の収納処理が行われる際に、循環ベルト６０ｂは図２における反時計回りの方向に循環移動する。このことにより、帯封紙幣搬送部６０の近傍の位置に到達したステージ１８上の帯封紙幣が突起６０ａにより引っ掛けられて循環ベルト６０ｂの下面に沿って図２における右方向に搬送される。そして、帯封紙幣搬送部６０により搬送される帯封紙幣は判別部６２によりその金種が判別された後、当該判別部６２による判別結果に基づいて一括帯封紙幣収納庫７０や各金種別帯封紙幣収納庫７２に収納されるようになる。ここで、帯封紙幣搬送部６０により搬送される帯封紙幣は、基本的には判別部６２により判別された金種に対応する各金種別帯封紙幣収納庫７２に収納されるが、判別部６２により判別された金種に対応する金種別帯封紙幣収納庫７２がフル状態またはニアフル状態であり当該金種別帯封紙幣収納庫７２に帯封紙幣をこれ以上収納することができない場合には、当該帯封紙幣はオーバーフロー帯封紙幣として一括帯封紙幣収納庫７０に収納されるようになる。
【００５０】
次に、紙幣処理装置２において一括帯封紙幣収納庫７０や各金種別帯封紙幣収納庫７２に収納されている帯封紙幣の出金処理を行う際の動作について説明する。一括帯封紙幣収納庫７０や各金種別帯封紙幣収納庫７２に収納されている帯封紙幣を帯封紙幣出金部１７により筐体１２の外部に出金する際には、循環ベルト６０ｂが図２における時計回りの方向に循環移動する。また、一括帯封紙幣収納庫７０や各金種別帯封紙幣収納庫７２において帯封紙幣が集積されているステージ７０ａ、７２ａが上昇することにより最上層にある帯封紙幣が突起６０ａにより引っ掛けられて循環ベルト６０ｂの下面に沿って図２における左方向に搬送される。また、ステージ１８が上昇して帯封紙幣搬送部６０の近傍の位置まで到達するようになる。そして、帯封紙幣搬送部６０により搬送される帯封紙幣の金種が判別部６２により判別された後、当該帯封紙幣はステージ１８上に１つずつ集積され、ステージ１８に所定の数の帯封紙幣が集積されると当該ステージ１８が下降してこのステージ１８から帯封紙幣出金部１７に帯封紙幣が受け渡されるようになる。そして、出金されるべき帯封紙幣が全て帯封紙幣出金部１７に送られると、バラ紙幣出金部１６に設けられたシャッター１６ａが開くことにより帯封紙幣出金部１７における筐体１２の前面に面する開口も開くようになり、操作者は帯封紙幣出金部１７から帯封紙幣を取り出すことができるようになる。
【００５１】
次に、本実施の形態の紙幣処理装置２の帯封機構５０において帯封処理が行われる際の動作について図５に示すフローチャートを用いて説明する。上述した帯封紙幣の出金処理や収納処理が行われる際に、各整理一時保留部４０に所定枚数（例えば、１００枚）のバラ紙幣が集積されると（ＳＴＥＰ１の「ＹＥＳ」）、巻出ロール５１の回転軸５１ａが駆動モータ５１ｂによって図４における反時計回りの方向に回転させられることにより当該巻出ロール５１から帯封紙が巻き出され、巻き出された帯封紙に対して印字部材５２や押印部材５３により所定内容の印字や押印が行われる（ＳＴＥＰ２）。そして、帯封紙の先端部分が第１検知センサ５６により検知されると巻出ロール５１からの帯封紙の巻き出し動作が停止される。このことにより、所定内容の印字や押印が行われた帯封紙は、その先端部分が第１検知センサ５６に位置する状態で待機するようになる。その後、整理一時保留部４０に集積されたバラ紙幣の束が第１アーム機構４１により当該整理一時保留部４０から取り出され、この紙幣束は第１アーム機構４１により帯封機構５０の帯封部５４に送られる（ＳＴＥＰ３）。第１アーム機構４１により保持された紙幣束が帯封機構５０の帯封部５４まで搬送されると、巻出ロール５１からの帯封紙の巻き出し動作が再開され、その先端部分が第１検知センサ５６に位置する状態で待機していた帯封紙が帯封部５４に送られるようになる。そして、帯封部５４において図示しないテープホルダによって図４に示すように帯封紙が紙幣束の周囲に巻かれた後に締め付けられ、締め付けられた帯封紙がヒータ５４ａにより溶着され、その後にカッター５４ｂにより帯封紙が切断されることにより、帯封紙幣が形成されるようになる。
【００５２】
なお、本実施の形態では、帯封機構５０により上記の帯封処理が行われる際に、帯封処理に関するエラーが発生すると、エラー検知部９０により当該エラーが検知される。具体的には、上述したように巻出ロール５１からの帯封紙の巻き出し動作が正常に行われなかったり、巻出ロール５１から巻き出された帯封紙が紙幣束に適切に巻かれなかったりした場合等に、帯封処理に関するエラーが発生したことがエラー検知部９０により検知される。エラー検知部９０によりエラーが発生したことが検知されると（ＳＴＥＰ４の「ＹＥＳ」）、巻出ロール５１の回転軸５１ａが駆動モータ５１ｂによって図４における時計回りの方向に回転させられることにより当該巻出ロール５１に帯封紙が巻き戻される（ＳＴＥＰ５）。このことにより、操作者は帯封機構５０の第１引出ユニット５０ａや第２引出ユニット５０ｂを筐体１２から引き出してエラーの原因を除去することができるようになる。また、巻出ロール５１に帯封紙が巻き戻される際に第２検知センサ５８により帯封紙が検知されなくなると、巻出ロール５１への帯封紙の巻き戻し動作が停止される。その後、図６（ａ）に示すように、操作表示部８２において、帯封紙を巻出ロール５１から巻き出して当該帯封紙における印字や押印が行われた箇所を含む部分を除去する旨のガイダンス画面が表示される（ＳＴＥＰ６）。
【００５３】
図６（ａ）に示すようなガイダンス画面を見た操作者は、帯封機構５０の第１引出ユニット５０ａおよび第２引出ユニット５０ｂを一体的に筐体１２から引き出した後、第１引出ユニット５０ａを更に引き出す。このことにより、操作者は帯封紙を巻出ロール５１から手動で巻き出して当該帯封紙における印字や押印が行われた箇所を含む部分をハサミ等により除去することができるようになる。そして、制御部８０において、帯封紙が巻出ロール５１から巻き出されて当該帯封紙における印字や押印が行われた箇所を含む部分が除去されたと判断された場合には（ＳＴＥＰ７の「ＹＥＳ」）、第１引出ユニット５０ａを筐体１２の内部に戻すことが可能となる（ＳＴＥＰ８）。また、この場合には、帯封機構５０において帯封処理を再開させることができるようになる（ＳＴＥＰ９）。より詳細には、巻出ロール５１に帯封紙が巻き戻され、操作表示部８２において図６（ａ）に示すようなガイダンス画面が表示された後、巻出ロール５１から帯封紙が巻き出されることにより当該帯封紙が第２検知センサ５８により検知されると、制御部８０において帯封紙が巻出ロール５１から巻き出されて当該帯封紙における印字や押印が行われた箇所を含む部分が除去されたと判断されるようになる。一方、巻出ロール５１に帯封紙が巻き戻され、操作表示部８２において図６（ａ）に示すようなガイダンス画面が表示された後、帯封紙が第２検知センサ５８により検知されない場合には、巻出ロール５１から帯封紙が巻き出されておらず、よって帯封紙における印字や押印が行われた箇所を含む部分も除去されていないと考えられるため、第１引出ユニット５０ａを筐体１２の外部に引き出した後、当該第１引出ユニット５０ａを筐体１２の内部に戻すことができなくなるようにする。このことによって、操作表示部８２において図６（ａ）に示すようなガイダンス画面が表示されているにもかかわらず操作者が帯封紙における印字や押印が行われた箇所を含む部分を除去していないときに、このことを操作者に気づかせることができるようになる。
【００５４】
従来技術の帯封機構では、帯封紙幣が形成されるまでに帯封処理に関するエラーが発生すると、帯封処理を中断して帯封紙を巻出ロールに巻き戻すようになっており、巻出ロールや帯封部が設けられた引出ユニットが帯封装置の筐体から引き出され、エラーの原因を除去した後に当該引出ユニットが帯封装置の筐体内に戻されると、再び帯封紙が巻出ロールから巻き出されて帯封処理が再開されるようになっていた。しかしながら、このような従来技術の帯封機構では、帯封紙に所定内容の印字や押印が行われた後に帯封処理に関するエラーが発生してしまい、当該帯封紙が巻出ロールに巻き戻されると、エラーの原因を除去した後に帯封処理が再開されたときに巻出ロールから巻き出された帯封紙に再び所定内容の印字や押印が行われることとなり、帯封紙に印字や押印が二重に行われて印字内容や押印内容が不明確になってしまうおそれがあった。また、帯封部において例えば損券の束に対して帯封処理を行う際に帯封紙に損券である旨の印字や押印が行われた場合において、帯封処理に関するエラーが発生してこのような損券である旨の印字や押印が行われた帯封紙が巻出ロールに巻き戻された後、帯封処理を再開させた後に正券の束に対して帯封処理を行うときに、損券である旨の印字や押印が行われた帯封紙が帯封部に送られて正券の束に巻かれてしまうおそれがあった。これに対して、本実施の形態では、エラー検知部９０により帯封処理に関するエラーが発生したことが検知されると、巻出ロール５１に帯封紙が巻き戻された後に、操作表示部８２において、帯封紙を巻出ロール５１から巻き出して当該帯封紙における印字や押印が行われた箇所を含む部分を除去する旨のガイダンス画面が表示される。このことにより、操作者は第１引出ユニット５０ａを筐体１２の外部に引き出した後、帯封紙を巻出ロール５１から巻き出して当該帯封紙における印字や押印が行われた箇所を含む部分を除去するようになるため、帯封紙に印字や押印が二重に行われて印字内容や押印内容が不明確になってしまったり、損券である旨の印字や押印が行われた帯封紙が帯封部に送られて正券の束に巻かれてしまったりすることを防止することができるようになる。
【００５５】
ここで、本実施の形態では、エラー検知部９０により帯封処理に関するエラーが検知された場合でも、エラー検知部９０によりエラーが検知されるタイミングが所定の期間内ではないときには、図６（ａ）に示すようなガイダンス画面が操作表示部８２に表示されないようになっている。具体的には、印字部材５２や押印部材５３により帯封紙に印字や押印を行った後、帯封部５４において帯封紙幣が形成されるまでの間にエラー検知部９０によりエラーが検知されたときにおいてのみ、図６（ａ）に示すようなガイダンス画面が操作表示部８２に表示されるようになる。より詳細には、印字部材５２や押印部材５３により帯封紙に印字や押印を行った後、帯封部５４においてカッター５４ｂにより帯封紙が切断されるまでの間にエラー検知部９０によりエラーが検知されたときにおいてのみ、図６（ａ）に示すようなガイダンス画面が操作表示部８２に表示されるようになる。一方、帯封機構５０において帯封処理が行われる際に、印字部材５２や押印部材５３により帯封紙に印字や押印を行う前にエラー検知部９０によりエラーが検知された場合には、第１引出ユニット５０ａや第２引出ユニット５０ｂを筐体１２の外部に引き出してエラーの原因を除去する際に、巻出ロール５１に巻き戻された帯封紙には印字や押印が行われておらず当該帯封紙を巻出ロール５１から巻き出してその一部を除去する必要がないため、操作表示部８２には図６（ａ）に示すようなガイダンス画面が表示されない。
【００５６】
また、本実施の形態では、図６（ａ）に示すようなガイダンス画面が操作表示部８２に表示された後、帯封紙が巻出ロール５１から巻き出されて当該帯封紙における印字や押印が行われた箇所を含む部分が除去されたと判断されるまでは、少なくとも帯封機構５０において帯封処理に関する動作を行うことができなくなるような運用が行われてもよい。すなわち、紙幣処理装置２において帯封機構５０以外の各構成部材を動作させることができるが帯封機構５０が動作しなくなるような帯封機構５０の縮退運用が行われるようになっていてもよい。この場合には、紙幣処理装置２において筐体１２内で所定枚数のバラ紙幣から帯封紙幣を形成する動作は行うことができなくなるがバラ紙幣の入金処理や出金処理等の他の動作は行うことができるようになる。
【００５７】
また、本実施の形態では、帯封機構５０において、所定間隔毎に所定のマークが付けられた帯封紙が巻出ロール５１から巻き出される場合がある。マーク付き帯封紙とは、例えば帯封紙に銀行名などが予め印刷されており、帯封紙を作成した際にこの印刷箇所が一定の位置に表れるようにするためにマークをつけたものである。このような場合には、帯封紙に付けられたマークは第１検知センサ５６や第２検知センサ５８により検知されるようになる。また、帯封紙にマークが付けられていることが第１検知センサ５６や第２検知センサ５８により検知された場合には、帯封処理に関するエラーが発生したことがエラー検知部９０により検知されたときに、巻出ロール５１に帯封紙が巻き戻された後、操作表示部８２において図６（ａ）に示すようなガイダンス画面が表示される代わりに図６（ｂ）に示すようなガイダンス画面が表示されるようになる。このような運用を行うことにより、帯封機構５０において帯封処理に関するエラーが発生した場合にエラーの原因を除去するにあたり、より現実に沿った帯封機構５０の状態に合わせて操作表示部８２にガイダンス画面を表示させることができるようになる。すなわち、従来技術では、巻出ロールから巻き出された帯封紙に所定のマークが付けられているか否かに関係なく帯封紙の除去を操作者に促すガイダンス画面の内容は共通であった（すなわち、図６（ａ）に示すようなガイダンス画面であった）。これに対し、本実施の形態では、巻出ロール５１から巻き出された帯封紙に所定のマークが付けられているか否かに応じて操作表示部８２に表示されるガイダンス画面を変えることにより、操作者にとっての利便性を向上させることができるようになる。
【００５８】
また、本実施の形態では、帯封機構５０により形成された帯封紙幣を一括帯封紙幣収納庫７０や各金種別帯封紙幣収納庫７２に収納させる際にエラーが発生したときに、図７に示すようなガイダンス画面が操作表示部８２に表示されるようになっている。ここで、図７に示すガイダンス画面における帯封紙幣収納庫の数や位置は、一括帯封紙幣収納庫７０および各金種別帯封紙幣収納庫７２の実際の数や位置と同一となっている。このため、操作者は一括帯封紙幣収納庫７０および各金種別帯封紙幣収納庫７２からエラーの原因を除去するにあたり、一括帯封紙幣収納庫７０および各金種別帯封紙幣収納庫７２の実際の数や位置に合わせてより現実に沿ったガイダンス画面が操作表示部８２に表示されるため、操作者は迷わずにエラーの原因を除去することができるようになる。従来技術では、帯封紙幣を帯封紙幣収納庫に収納させる際にエラーが発生したときに操作表示部に表示されるガイダンス画面として、帯封紙幣収納庫の数や位置に関わらず共通のガイダンス画面が使用されていた。このため、実際の帯封紙幣収納庫の数や位置と、操作表示部に表示されるガイダンス画面における帯封紙幣収納庫の数や位置とが異なる場合があり、操作者が帯封紙幣収納庫からエラーの原因を除去する際に迷ってしまうおそれがあった。具体的には、従来技術では、例えば図８に示すような共通のガイダンス画面が操作表示部に表示されるようになっており、このガイダンス画面における帯封紙幣収納庫の数が例えば５つであった場合には、図２等に示すように１つの一括帯封紙幣収納庫７０および３つの金種別帯封紙幣収納庫７２を備えた紙幣処理装置２が実際に用いられるときに、実際の帯封紙幣収納庫の数や位置と、操作表示部に表示されるガイダンス画面における帯封紙幣収納庫の数や位置とが異なるようになってしまう。これに対し、本実施の形態では、一括帯封紙幣収納庫７０や各金種別帯封紙幣収納庫７２の数や位置に応じて操作表示部８２に表示されるガイダンス画面を変えることにより、操作者にとっての利便性を向上させることができるようになる。
【００５９】
なお、上記の技術的特徴は、バラ紙幣の入金処理において当該バラ紙幣を一括バラ紙幣収納庫３２や各金種別バラ紙幣収納庫３４に収納させる際にエラーが発生したときに操作表示部８２に表示されるガイダンス画面にも適用することができる。すなわち、本実施の形態では、一括バラ紙幣収納庫３２や各金種別バラ紙幣収納庫３４の数や位置に応じて、バラ紙幣を一括バラ紙幣収納庫３２や各金種別バラ紙幣収納庫３４に収納させる際にエラーが発生したときに操作表示部８２に表示されるガイダンス画面を変えることができるようになっており、このことにより操作者にとっての利便性を向上させることができるようになっている。
【００６０】
以上のような構成からなる本実施の形態の紙幣処理装置２（帯封装置）やこのような紙幣処理装置２による帯封方法によれば、帯封処理に関するエラーを検知するエラー検知部９０と、操作者に報知を行う報知部としての操作表示部８２と、エラー検知部９０によりエラーが検知されたときに、帯状の帯封紙を供給する供給部としての巻出ロール５１に帯封紙を巻き戻すよう当該巻出ロール５１の駆動モータ５１ｂを制御する制御部８０とを備えており、制御部８０は、エラー検知部９０によりエラーが検知されたときに、帯封紙における印字や押印が行われた箇所を含む部分を除去する旨のガイダンスを操作者に報知するために図６に示すようなガイダンス画面を表示させるよう操作表示部８２を制御するようになっている。このように、帯封処理に関するエラーが発生したときに、帯封紙における印字や押印が行われた箇所を含む部分を除去する旨のガイダンスを操作者に報知することにより、このようなエラーが解除された後に、当該エラーが発生する前に印字や押印が行われた帯封紙が再び巻出ロール５１から巻き出されて帯封部５４に送られてしまうことを防止することができ、よって紙幣束に巻かれた帯封紙の印字内容や押印内容を適切なものとすることができる。
【００６１】
また、本実施の形態の紙幣処理装置２においては、上述したように、制御部８０は、印字部材５２や押印部材５３により帯封紙に印字や押印を行った後、帯封部５４において帯封紙幣が形成されるまでの間にエラー検知部９０によりエラーが検知されたときにおいてのみ、図６に示すようなガイダンス画面を表示させるよう操作表示部８２を制御するようになっている。より詳細には、制御部８０は、印字部材５２や押印部材５３により帯封紙に印字や押印を行った後、帯封部５４のカッター５４ｂにより帯封紙が切断されるまでの間にエラー検知部９０によりエラーが検知されたときにおいてのみ、図６に示すようなガイダンス画面を表示させるよう操作表示部８２を制御するようになっている。帯封機構５０において帯封処理が行われる際に、印字部材５２や押印部材５３により帯封紙に印字や押印を行う前にエラー検知部９０によりエラーが検知された場合には、第１引出ユニット５０ａや第２引出ユニット５０ｂを筐体１２の外部に引き出してエラーの原因を除去する際に、巻出ロール５１に巻き戻された帯封紙には印字や押印が行われておらず当該帯封紙を巻出ロール５１から巻き出してその一部を除去する必要がないからである。
【００６２】
また、本実施の形態の紙幣処理装置２においては、上述したように、巻出ロール５１から巻き出された帯封紙の通過を検知するための通過検知部として第２検知センサ５８が設けられており、エラー検知部９０によりエラーが検知されたときに巻出ロール５１に帯封紙が巻き戻されると第２検知センサ５８により帯封紙が検知されなくなるようになっている。そして、制御部８０は、図６に示すようなガイダンス画面が操作表示部８２に表示されることによって操作者に対して報知が行われた後、第２検知センサ５８により帯封紙の通過が検知されると、帯封紙が巻出ロール５１から巻き出されて当該帯封紙における印字や押印が行われた箇所を含む部分が除去されたと判断するようになっている。また、この場合には、図６に示すようなガイダンス画面が操作表示部８２に表示されることによって操作者に対して報知が行われた後、帯封紙が巻出ロール５１から巻き出されて当該帯封紙における印字や押印が行われた箇所を含む部分が除去されたと制御部８０により判断されるまでは筐体１２から引き出された第１引出ユニット５０ａを当該筐体１２内に戻すことができないようになっている。このことにより、操作表示部８２において図６に示すようなガイダンス画面が表示されているにもかかわらず操作者が帯封紙における印字や押印が行われた箇所を含む部分を除去していないときに、このことを操作者に気づかせることができるようになる。
【００６３】
また、本実施の形態の紙幣処理装置２では、上述したように、図６に示すようなガイダンス画面が操作表示部８２に表示されることによって操作者に対して報知が行われた後、帯封紙が巻出ロール５１から巻き出されて当該帯封紙における印字や押印が行われた箇所を含む部分が除去されたと制御部８０により判断されるまでは少なくとも帯封処理に関する動作を行うことができなくなる。このことにより、紙幣処理装置２において帯封機構５０の縮退運用が行われるようになる。すなわち、紙幣処理装置２において筐体１２内で所定枚数のバラ紙幣から帯封紙幣を形成する動作は行うことができなくなるがバラ紙幣の入金処理や出金処理等の他の動作は行うことができるようになる。
【００６４】
なお、本実施の形態による紙幣処理装置２やこのような紙幣処理装置２による紙幣処理方法（具体的には、帯封機構５０による帯封処理の内容）は、上述したような態様に限定されることはなく、様々な変更を加えることができる。
【００６５】
例えば、エラー検知部９０によりエラーが検知されたときに帯封紙における印字や押印が行われた箇所を含む部分を除去する旨のガイダンスを操作者に報知する報知部は、図６に示すようなガイダンス画面を表示する操作表示部８２に限定されることはない。本実施の形態では、上記の報知部として、音声により操作者に対して注意を喚起する音声部が用いられ、エラー検知部９０によりエラーが検知されたときに帯封紙における印字や押印が行われた箇所を含む部分を除去する旨のアナウンスが当該音声部により行われるようになっていてもよい。
【００６６】
また、帯封機構５０において、印字部材５２および押印部材５３の両方が設置される代わりに、印字部材５２または押印部材５３のいずれか一方のみが設置されるようになっていてもよい。
【００６７】
また、別の変形例に係る紙幣処理装置の帯封機構において、帯封処理に関するエラーがエラー検知部により検知されたときに巻出ロールに帯封紙が巻き戻された後、この巻出ロールから帯封紙が自動的に巻き出され、帯封紙における印字や押印が行われた箇所を含む部分が自動的に除去されるようになっていてもよい。具体的には、帯封機構の引出ユニットを筐体から外部に引き出してエラーの原因を除去した後、引出ユニットを筐体の内部に戻すと、紙幣束に類似する形状の直方体形状のダミー部材が帯封部に搬送され、帯封部においてテープホルダによりこのダミー部材に帯封紙が巻き付けられて溶着および切断が行われることにより、帯封紙における印字や押印が行われた箇所を含む部分がダミー部材に巻き付けられて当該部分が除去されるようになっていてもよい。
【符号の説明】
【００６８】
１      貨幣処理機
２      紙幣処理装置
３      硬貨処理装置
１２    筐体
１２ａ  前扉
１３    引出ユニット
１４    入金部
１４ａ  シャッター
１４ｂ  シャッター駆動部
１４ｃ  紙幣繰出繰入機構
１５    搬送部
１６    バラ紙幣出金部
１６ａ  シャッター
１６ｂ  シャッター駆動部
１７    帯封紙幣出金部
１８    ステージ
１９    分離部材
２０    識別部
２２    表裏反転部
２４    出金リジェクト部
２４ａ  シャッター
２４ｂ  シャッター駆動部
２６    入金リジェクト部
２６ａ  シャッター
２６ｂ  シャッター駆動部
３０    入金一時保留部
３０ａ  紙幣繰出繰入機構
３２    一括バラ紙幣収納庫
３２ａ  紙幣繰出繰入機構
３４    金種別バラ紙幣収納庫
３４ａ  紙幣繰出繰入機構
４０    整理一時保留部
４１    第１アーム機構
４２    第２アーム機構
５０    帯封機構
５０ａ  第１引出ユニット
５０ｂ  第２引出ユニット
５１    巻出ロール
５１ａ  回転軸
５１ｂ  駆動モータ
５２    印字部材
５３    押印部材
５４    帯封部
５４ａ  ヒータ
５４ｂ  カッター
５６    第１検知センサ
５８    第２検知センサ
６０    帯封紙幣搬送部
６０ａ  突起
６０ｂ  循環ベルト
６２    判別部
７０    一括帯封紙幣収納庫
７０ａ  ステージ
７２    金種別帯封紙幣収納庫
７２ａ  ステージ
８０    制御部
８２    操作表示部
８４    記憶部
８６    印字部
８８    通信インターフェース部
９０    エラー検知部
【図１】
0006499483.tif 000002
【図２】
0006499483.tif 000003
【図３】
0006499483.tif 000004
【図４】
0006499483.tif 000005
【図５】
0006499483.tif 000006
【図６】
0006499483.tif 000007
【図７】
0006499483.tif 000008
【図８】
0006499483.tif 000009